(57)【要約】【課題】物品を携帯していないユーザが車両の運転を行うことを防止する物品管理システムを提供する。【解決手段】物品管理システム１は、薬剤ケース２に付設され、第１の信号を発信する通信装置（制御部２１及び通信部２４）と、第２の信号を発信する携帯端末３と、車両５のエンジン５６を始動させるためのリモートエンジンスタータ４と、車両５に設けられ、リモートエンジンスタータ４が操作されたときに車両５のエンジン５６を始動させる車両制御装置５０とを備える。車両制御装置５０は、通信装置からの第１の信号と携帯端末３からの第２の信号の少なくとも一方が受信されない場合において、リモートエンジンスタータ４が操作されたとしても、エンジン５６を始動させないようになっている。したがって、ユーザは、薬剤ケース２と携帯端末３を携帯していない限り、車両５を運転することができない。【選択図】図１
2007213204.tif 000002
【特許請求の範囲】
【請求項１】
物品に付設され、第１の信号を発信する通信装置と、
第２の信号を発信する携帯端末と、
該携帯端末と一体又は別体に構成され、車両に所定の動作を行わせるための操作装置と、
前記車両に設けられ、前記操作装置が操作されたときに当該車両の動作を制御する車両制御装置と、
を含み、
前記発信された前記第１及び第２の信号のそれぞれを受信するための通信手段を備え、
前記車両制御装置は、該通信手段により前記第１及び第２の信号の少なくとも一方が受信されない場合において、前記操作装置が操作されたときに、前記車両の前記所定の動作を禁止する制御手段を備える、
ことを特徴とする物品管理システム。
【請求項２】
物品に付設され、第１の信号を発信する通信装置と、
該発信された第１の信号を受信するための通信手段を備える携帯端末と、
該携帯端末と一体又は別体に構成され、車両に所定の動作を行わせるための操作装置と、
前記車両に設けられ、前記操作装置が操作されたときに当該車両の動作を制御する車両制御装置と、
を含み、
前記携帯端末は、前記通信手段により前記第１の信号が受信されないときに所定の信号を送信し、
前記車両制御装置は、
前記所定の信号を受信するための通信手段と、
該通信手段により前記所定の信号が受信された場合において、前記操作装置が操作されたときに、前記車両の前記所定の動作を禁止する制御手段と、
を備える、
ことを特徴とする物品管理システム。
【請求項３】
物品に付設され、信号の送受信を行う通信装置と、
走行車両内のユーザによる携帯に供され、信号の送受信を行う通信手段を備える携帯端末と、
を含み、
前記車両の原動機が始動されたことに対応して計時を開始する計時手段を備え、
前記携帯端末は、該計時手段による計時時間が所定時間に達したことに対応し、前記通信装置に対して応答信号の送信を要求する信号を前記通信手段によって送信し、
該要求する信号に対する前記応答信号が前記通信手段によって受信されないときに報知情報を出力する報知手段を備える、
ことを特徴とする物品管理システム。
【請求項４】
物品に付設され、信号の送受信を行う通信装置と、
走行車両内のユーザによる携帯に供され、信号の送受信を行う通信手段を備える携帯端末と、
を含み、
車両の原動機が始動されてからの走行距離を検出する走行距離検出手段を備え、
前記携帯端末は、該走行距離検出手段による検出距離が所定距離に達したことに対応し、前記通信装置に対して応答信号の送信を要求する信号を前記通信手段によって送信し、
該要求する信号に対する前記応答信号が前記通信手段によって受信されないときに報知情報を出力する報知手段を備える、
ことを特徴とする物品管理システム。
【請求項５】
走行車両内のユーザによる携帯に供される携帯端末と、
物品と前記携帯端末との間の距離を計測する測距手段と、
該測距手段による計測距離が所定距離以上であるときに報知情報を出力する報知手段と、
を備える、
ことを特徴とする物品管理システム。
【請求項６】
ユーザによる携帯に供される物品に付設され、信号の送受信を行う通信装置と、
前記ユーザによる携帯に供され、第１の識別情報を含む信号を発信する第１の携帯端末と、
前記ユーザ以外の者による携帯に供され、第２の識別情報を含む信号を発信する第２の携帯端末と、
所定の場所に設置され、信号の送受信を行う通信手段を備える管理装置と、
を含み、
前記管理装置は、
前記第１及び第２の識別信号をあらかじめ記憶した記憶手段と、
前記通信手段により信号が受信されたときに、当該信号が前記第１又は第２の識別情報を含んでいるか判断する判断手段と、
を備え、
前記第１の識別情報が含まれていると前記判断されたときに、前記通信装置に対して応答信号の送信を要求する信号を前記通信手段により送信し、
前記要求する信号に対する前記応答信号が前記通信手段によって受信されないときに報知情報を出力する報知手段を備える、
ことを特徴とする物品管理システム。
【請求項７】
薬剤を格納し、ユーザによる携帯に供される薬剤ケースと、
前記ユーザによる携帯に供される携帯端末と、
を含み、
前記薬剤ケースは、前記薬剤の格納量を検出する検出手段を備え、
該検出された前記格納量が所定量未満であるか判断する格納量判断手段と、
前記格納量が所定量未満であると前記判断されたときに報知情報を出力する報知手段と、
を備える、
ことを特徴とする物品管理システム。
【発明の詳細な説明】
【技術分野】
【０００１】
本発明は、ユーザの携帯に供される物品を管理する物品管理システムに関し、特に、その物品をユーザに忘れずに携帯させるための技術に関するものである。
【背景技術】
【０００２】
自宅から外出する時などには、様々な物品を携帯しているのが一般的である。携帯に供される物品の典型例としては、携帯電話、常備薬等の薬剤、メガネ、補聴器、傘、タバコ、ライターなどが考えられる。このような物品を忘れずに携帯させるための従来の技術として、たとえば特許文献１、２が知られている。
【０００３】
まず、特許文献１に開示された発明においては、携帯に供される物品のリストの作成と、各物品に対する無線タグの装着とを事前に行うようになっている。無線タグには、信号到達距離が１メートル程度のＲＦＩＤ（Ｒａｄｉｏ  Ｆｒｅｑｕｅｎｃｙ  ＩＤｅｎｔｉｆｉｃａｔｉｏｎ）が用いられている。また、ユーザが携帯する携帯機器には、無線タグのリーダが設けてある。そして、このリーダが無線タグからの信号を検知できないときに警告を発することにより、当該物品を携帯していないこと、つまり当該物品を置き忘れたり落としたりしたことをユーザに報知するようになっている。
【０００４】
また、特許文献２に開示された発明においては、物品の特定情報を記憶したＩＣチップと当該特定情報のバーコード情報とを備えるカードを、各物品毎に用意しておく。また、ＩＣチップに記憶された特定情報を検知する機能と、バーコード情報を読み取る機能とを有する物品検知装置を玄関等に設置しておく。更に、ユーザは、物品検知装置にバーコード情報を読み取らせて、携帯すべき物品の特定情報を事前に登録しておく。カードは物品に装入されて鞄などに入れられる。ユーザが外出するとき、物品検知装置が鞄の中の各カードのＩＣチップに記憶された特定情報を検知して、事前に登録された特定情報と照合して忘れ物の有無を判断する。忘れ物があった場合には、所定の通信装置に電子メールを送信して報知するようになっている。
【０００５】
【特許文献１】特開２００２−１６３３０１号公報
【特許文献２】特開２００４−７８３１９号公報
【発明の開示】
【発明が解決しようとする課題】
【０００６】
ところで、外出時などに携帯すべき物品には、万一忘れてしまった場合に外出先等で容易に入手できるもの（たとえば傘、タバコ、ライター等）と、入手が困難なもの（たとえば、薬剤（特に処方箋が必要なもの）、メガネ、補聴器等）とがある。後者に係る物品は、入手困難であるにも拘わらず、それを忘れると重大な事態を引き起こすおそれを内在しているものが少なくない。
【０００７】
たとえば、低血糖を引き起こす慢性疾患の患者がブドウ糖を携帯しないで外出した場合に、外出先でブドウ糖や飴等の糖分を入手できないと、重篤な低血糖状態に陥って死に至るおそれがある。また、気管支拡張剤を携帯していないときに喘息の重症発作が起こると、喘息死に至ることもある。更に、心臓疾患の患者が発作を起こしたときにニトログリセリンを携帯していないと、そのまま死に至ることもある。
【０００８】
また、以上に例示したような症状が自動車やバイクを運転しているときに発生すると、その症状がたとえ小さなものであっても交通事故を引き起こすことも想定される。同様に、メガネや補聴器を装用せずに運転する場合にも、それらを装用している場合と比較して、交通事故を引き起こす可能性は高いと思われる。
【０００９】
なお、将来における高齢化社会の進行が予測されていることを考慮すると、薬剤やメガネや補聴器等の物品を携帯する人が増加することも予想される。また、物品を置き忘れたりする可能性は、若年者や壮年者と比べて高齢者の方が高いと予想される。したがって、そのような物品をユーザに確実に携帯させるための技術の必要性は、益々増大していくものと考えられる。
【００１０】
しかしながら、前述の従来技術においては、このような問題点を効果的に解決することは困難である。たとえば、錠剤等の薬剤は、薬剤ケースに格納されて携帯に供されるのが通常であるが、従来技術によれば、薬剤ケースを携帯していないことを報知することはできるが、その薬剤ケースに薬剤が格納されていないことや、格納されていてもその量が不十分であることを報知することはできない。すなわち、個々の錠剤等に無線タグやＩＣチップを添付することは実用上不可能だからである。
【００１１】
また、従来技術では、薬剤等の物品を携帯しないユーザが車両の運転を行うことを禁止したり抑制したりすることができない。
【００１２】
更に、ユーザが携帯すべき物品を忘れていることを、ユーザ本人だけでなく家族等が有する携帯端末等にも報知することにより、物品不携帯での外出等を防止する効果の向上を図ることも考えられる。その場合、ユーザ本人が携帯している端末と家族等が携帯している端末とを識別して物品の携帯／不携帯を判定する必要がある。特に、特許文献２の発明のように、玄関等に物品検知装置を設置する場合、ユーザ以外の家族等が玄関等を通過するときに不要な報知を行ってしまうなどの誤報の発生が想定される。
【００１３】
本発明は、以上のような問題を解決するためになされたもので、特定の物品を携帯していないユーザが車両の運転を行うことを防止ないしは抑制することが可能な物品管理システムを提供することを目的とする。
【００１４】
また、本発明は、ユーザ及びその家族等の関係者が携帯端末を持っている場合における誤報の発生を防止することが可能な物品管理システムを提供することを他の目的とする。
【００１５】
また、本発明は、十分な量の薬剤が格納されていない薬剤ケースを携帯してしまう事態を防止することが可能な物品管理システムを提供することを更に他の目的としている。
【課題を解決するための手段】
【００１６】
上記目的を達成するために、請求項１に記載の発明は、物品に付設され、第１の信号を発信する通信装置と、第２の信号を発信する携帯端末と、該携帯端末と一体又は別体に構成され、車両に所定の動作を行わせるための操作装置と、前記車両に設けられ、前記操作装置が操作されたときに当該車両の動作を制御する車両制御装置と、を含み、前記発信された前記第１及び第２の信号のそれぞれを受信するための通信手段を備え、前記車両制御装置は、該通信手段により前記第１及び第２の信号の少なくとも一方が受信されない場合において、前記操作装置が操作されたときに、前記車両の前記所定の動作を禁止する制御手段を備える、ことを特徴とする物品管理システムである。
【００１７】
また、請求項２に記載の発明は、物品に付設され、第１の信号を発信する通信装置と、該発信された第１の信号を受信するための通信手段を備える携帯端末と、該携帯端末と一体又は別体に構成され、車両に所定の動作を行わせるための操作装置と、前記車両に設けられ、前記操作装置が操作されたときに当該車両の動作を制御する車両制御装置と、を含み、前記携帯端末は、前記通信手段により前記第１の信号が受信されないときに所定の信号を送信し、前記車両制御装置は、前記所定の信号を受信するための通信手段と、該通信手段により前記所定の信号が受信された場合において、前記操作装置が操作されたときに、前記車両の前記所定の動作を禁止する制御手段と、を備える、ことを特徴とする物品管理システムである。
【００１８】
また、請求項３に記載の発明は、物品に付設され、信号の送受信を行う通信装置と、走行車両内のユーザによる携帯に供され、信号の送受信を行う通信手段を備える携帯端末と、を含み、前記車両の原動機が始動されたことに対応して計時を開始する計時手段を備え、前記携帯端末は、該計時手段による計時時間が所定時間に達したことに対応し、前記通信装置に対して応答信号の送信を要求する信号を前記通信手段によって送信し、該要求する信号に対する前記応答信号が前記通信手段によって受信されないときに報知情報を出力する報知手段を備える、ことを特徴とする物品管理システムである。
【００１９】
また、請求項４に記載の発明は、物品に付設され、信号の送受信を行う通信装置と、走行車両内のユーザによる携帯に供され、信号の送受信を行う通信手段を備える携帯端末と、を含み、車両の原動機が始動されてからの走行距離を検出する走行距離検出手段を備え、前記携帯端末は、該走行距離検出手段による検出距離が所定距離に達したことに対応し、前記通信装置に対して応答信号の送信を要求する信号を前記通信手段によって送信し、該要求する信号に対する前記応答信号が前記通信手段によって受信されないときに報知情報を出力する報知手段を備える、ことを特徴とする物品管理システムである。
【００２０】
また、請求項５に記載の発明は、走行車両内のユーザによる携帯に供される携帯端末と、物品と前記携帯端末との間の距離を計測する測距手段と、該測距手段による計測距離が所定距離以上であるときに報知情報を出力する報知手段と、を備える、ことを特徴とする物品管理システムである。
【００２１】
また、請求項６に記載の発明は、ユーザによる携帯に供される物品に付設され、信号の送受信を行う通信装置と、前記ユーザによる携帯に供され、第１の識別情報を含む信号を発信する第１の携帯端末と、前記ユーザ以外の者による携帯に供され、第２の識別情報を含む信号を発信する第２の携帯端末と、所定の場所に設置され、信号の送受信を行う通信手段を備える管理装置と、を含み、前記管理装置は、前記第１及び第２の識別信号をあらかじめ記憶した記憶手段と、前記通信手段により信号が受信されたときに、当該信号が前記第１又は第２の識別情報を含んでいるか判断する判断手段と、を備え、前記第１の識別情報が含まれていると前記判断されたときに、前記通信装置に対して応答信号の送信を要求する信号を前記通信手段により送信し、前記要求する信号に対する前記応答信号が前記通信手段によって受信されないときに報知情報を出力する報知手段を備える、ことを特徴とする物品管理システムである。
【００２２】
また、請求項７に記載の発明は、薬剤を格納し、ユーザによる携帯に供される薬剤ケースと、前記ユーザによる携帯に供される携帯端末と、を含み、前記薬剤ケースは、前記薬剤の格納量を検出する検出手段を備え、該検出された前記格納量が所定量未満であるか判断する格納量判断手段と、前記格納量が所定量未満であると前記判断されたときに報知情報を出力する報知手段と、を備える、ことを特徴とする物品管理システムである。
【発明の効果】
【００２３】
請求項１に記載の本発明によれば、物品に付設された通信装置から発信された第１の信号と、携帯端末から発信された第２の信号とのうちの少なくとも一方が受信されない場合に、ユーザが車両に所定の動作を行わせるための操作を行っても、その動作が実行されないように構成されている。すなわち、ユーザは、当該物品を携帯していない限り、車両に当該動作を行わせることができない。当該動作として、車両の原動機の始動動作やドアロックの解除動作を適用することにより、ユーザは、当該物品を携帯していない限り車両を運転することができない。同様に、携帯端末を携帯していないときにも、車両を運転することができない。
【００２４】
請求項２に記載の本発明によれば、物品に付設された通信装置から発信された第１の信号を携帯端末が受信しない場合に、ユーザが車両に所定の動作を行わせるための操作を行っても、その動作が実行されないように構成されている。したがって、ユーザは、当該物品を携帯していない限り車両に当該動作（原動機の始動動作やドアロックの解除動作）を行わせることができない。
【００２５】
請求項３に記載の本発明によれば、車両の原動機の始動から所定時間が経過したときに、携帯端末は、物品に付帯された通信装置に対して応答信号の送信を要求する信号を送信し、この応答信号が受信されないときに報知情報を出力するように構成されているので、当該物品を携帯していないユーザが車両の運転を行うことを防止ないしは抑制することができる。
【００２６】
請求項４に記載の本発明によれば、車両の原動機が始動されてからの走行距離が所定距離に到達したときに、携帯端末は、物品に付設された通信装置に対して応答信号の送信を要求する信号を送信し、この応答信号が受信されないときに報知情報を出力するように構成されているので、当該物品を携帯していないユーザが車両の運転を行うことを抑制することができる。
【００２７】
請求項５に記載の本発明によれば、物品と携帯端末との間の距離を計測し、その計測距離が所定距離以上であるときに報知情報を出力するように構成されているので、当該物品を携帯していないユーザが車両の運転を行うことを防止ないしは抑制することが可能である。
【００２８】
請求項６に記載の本発明によれば、ユーザによる携帯に供され、第１の識別情報を含む信号を発信する第１の携帯端末と、当該ユーザ以外の者による携帯に供され、第２の識別情報を含む信号を発信する第２の携帯端末と、管理装置とを含んで構成されており、この管理装置は、信号を受信したときに、その信号が第１又は第２の識別情報を含んでいるか判断し、第１の識別情報が含まれていると判断されたときに、物品に付帯された通信装置に対して応答信号の送信を要求する信号を送信する。そして、管理装置が応答信号を受信しない場合に報知情報を出力するようになっている。それにより、ユーザ以外の者に対する不要な報知（誤報）を防止することができる。
【００２９】
請求項７に記載の本発明によれば、ユーザの携帯に供される薬剤ケース内の薬剤の格納量を検出し、この検出された格納量が所定量未満であるか判断し、当該格納量が所定量未満であると判断されたときに報知情報を出力するように構成されている。それにより、十分な量の薬剤が格納されていない薬剤ケースを携帯してしまう事態を防止できる。
【発明を実施するための最良の形態】
【００３０】
本発明に係る物品管理システムの好適な実施の形態の一例について、図面を参照しながら詳細に説明する。
【００３１】
以下、本発明の物品管理システムに関わる第１〜第４の実施形態を説明する。第１の実施形態の物品管理システムは、ユーザが車両を運転しようとするときに、ユーザが特定の物品を携帯しているかどうかを確認し、携帯していない場合には運転させないようにすることを主たる特徴とするものである。
【００３２】
また、第２の実施形態の物品管理システムは、ユーザが車両を運転しているときに、特定の物品を携帯しているかどうかを確認し、携帯していない場合にはその物品を取りに戻るように促すことを主たる特徴とするものである。
【００３３】
また、第３の実施形態の物品管理システムは、ユーザ及びその家族等がそれぞれ携帯端末を有している場合において、外出等しようとしている者がユーザであるかを識別して報知を行うことを主たる特徴とするものである。
【００３４】
また、第４の実施形態の物品管理システムは、ユーザが携帯すべき物品が薬剤（ケース）の場合であって、薬剤ケース中に適正量の薬剤が格納されているかを確認して報知を行うこと主たる特徴とするものである。
【００３５】
なお、「ユーザ」とは、特定の物品を携帯すべき者のことを意味するものとする。また、「物品」には、前述したように、ブドウ糖、気管支拡張剤、ニトログリセリン等の薬剤、ブドウ糖などの薬剤を格納する薬剤ケース、メガネ、補聴器、入れ歯、人工肛門用パウチ（袋）など様々なものがあるが、以下の実施形態では、薬剤及び薬剤ケースを「物品」とした場合について説明することにする。
【００３６】
〈第１の実施形態〉
本実施形態に係る物品管理システムは、薬剤（ケース）を携帯すべきユーザが車両を運転しようとするときに、その薬剤（ケース）を携帯しているかどうかを確認することにより、ユーザが薬剤（ケース）を携帯せずに車両の運転を行うことを防止するためのものである。図１は、この物品管理システムの構成の一例を表している。
【００３７】
［システム構成］
図１に示す物品管理システム１は、薬剤ケース２（に付設された通信装置等；後述）、携帯端末３、リモートエンジンスタータ４及び車両制御装置５０を含んで構成される。薬剤ケース２、携帯端末３及びリモートエンジンスタータ４は、ユーザによって携帯されるべきものである。車両制御装置５０は、車両５に搭載されている。この車両５は、自動車や自動二輪などのエンジン（原動機）を備える任意の車両である。薬剤ケース２、携帯端末３、リモートエンジンスタータ４及び車両制御装置５０は、互いに通信可能に構成されている。
【００３８】
薬剤ケース２の通信装置と携帯端末３は、それぞれ所定の通信可能距離を有している。その通信方式は、たとえばＩＣタグ（ＲＦＩＤ）や赤外線通信などを用いる場合には１メートル〜数メートル程度とされ、ダブルスーパーヘテロダイン方式等を用いる場合には数十メートル〜数百メートル程度とされる。この通信可能距離を超えると、薬剤ケース２や携帯端末３から出力される電波や赤外線信号が送信先に到達しないため、通信不可能となる。
【００３９】
リモートエンジンスタータ４は、たとえばダブルスーパーヘテロダイン方式の通信方式を採用している。ユーザは、このリモートエンジンスタータ４を操作して、車両５のエンジン５６を始動させたり、ドアロックを解除させたりすることができる。
【００４０】
車両制御装置５０は、車両５のエンジン５６の始動／停止制御やドアロックの施錠／解除など、車両５に関する各種の電気的な制御を行う。ドアロックの解除等の動作は、ドアロック機構部５７を制御することにより行うようになっている。この車両制御装置５０の通信方式は、たとえばダブルスーパーヘテロダイン方式を用いる。
【００４１】
なお、図１においては、薬剤ケース２、携帯端末３、リモートエンジンスタータ４及び車両制御装置５０は、それぞれに通信手段を備えており、各ペアが相互に通信できるように記載されているが、使用形態（後述）によっては通信が不要なペアもある（以下の実施形態や変形例においても同様である。）。また、一方向のみの通信が必要な場合もある（同じく、以下の実施形態等においても同様である。）。たとえば、薬剤ケース２の通信装置の送信方式がＩＣタグであり、かつ、携帯端末３にのみＩＣタグの情報を送信する必要がある場合には、携帯端末３にのみＩＣタグのリーダを設け、他の２つの装置には当該リーダを設ける必要はない。すなわち、その使用形態を実現するために必要な通信機器を設ければ十分である。
【００４２】
また、図１においては、薬剤ケース２、携帯端末３、リモートエンジンスタータ４及び車両制御装置５０のそれぞれに、本発明の「報知手段」（後述）が設けられているが、その使用形態毎に必要な部分に設けられていれば十分である。また、報知の態様としては、表示によるもの、音声によるもの、振動によるものなどがあるが、それらのうちの任意のものを適宜に採用することができる。
【００４３】
以下、薬剤ケース２、携帯端末３、リモートエンジンスタータ４及び車両制御装置５０について、それぞれ説明する。
【００４４】
［薬剤ケースの構成］
薬剤ケース２は、ユーザの常備薬であるブドウ糖などの薬剤Ｍを格納するもので、この薬剤Ｍが格納される薬剤格納部２０を有している。この薬剤格納部２０は、薬剤ケース２内に形成された中空部である。ユーザは、図示しない蓋を開けて、薬剤格納部２０内の薬剤Ｍを取り出すことができる。ユーザは、常に、所定量の薬剤Ｍを薬剤格納部２０内に格納しておくべきである。
【００４５】
この薬剤ケース２には、本発明の「通信装置」の一例を構成する制御部２１と通信部２４が付設されている。この通信装置としてＩＣタグを用いる場合、たとえば、制御部２１として、マイクロプロセッサ、ＲＡＭ、ＲＯＭ、ＥＥＰＲＯＭ等を含んで形成されるＩＣチップを使用し、通信部２４として、インターフェイス部（アンテナコイル等）を使用することができる。また、通信装置としてダブルスーパーヘテロダイン方式を用いる場合には、たとえば、制御部２１として、同じくマイクロプロセッサ等を含むＩＣチップを使用し、通信部２４として、ダブルスーパーヘテロダイン方式の無線回路を使用することができる。
【００４６】
また、薬剤ケース２には、音声出力部２２と振動機構部２３が設けられている。音声出力部２２は、制御部２１により制御されて、たとえば、ビープ音などの音声情報を出力する電気回路及びスピーカを含んで構成される。また、振動機構部２３は、たとえば携帯電話等のバイブレーション機能と同様の構成を有し、制御部２１により制御されて振動を発生する。音声出力部２２や振動機構部２３は、本発明の「報知手段」の一例に相当し、音声情報や振動は「報知情報」の一例に相当する。
【００４７】
なお、薬剤ケース２に対する通信装置や報知手段の付設態様としては、それらを薬剤ケース２に貼り付けてもよいし、それらを薬剤ケース２内部に内蔵するように構成してもよい。
【００４８】
［携帯端末の構成］
携帯端末３は、たとえば携帯電話、ＰＤＡ（Ｐｅｒｓｏｎａｌ  Ｄｉｇｉｔａｌ  Ａｓｓｉｓｔａｎｎｃｅ）等の汎用の携帯端末や専用の携帯端末からなる。この携帯端末３は、たとえば、制御部３１、表示部３２、音声出力部３３、振動機構部３４、操作部３５、記憶部３６及び通信部３７を含んで構成される。図２は、携帯端末３の一例である携帯電話の外観構成を示している。
【００４９】
制御部３１は、この携帯端末３の各部の制御や演算処理等を行うもので、マイクロプロセッサ、ＲＡＭ、ＲＯＭ、ＥＥＰＲＯＭ等を有している。この制御部３１は、本発明の「制御手段」の一例に相当するものである。
【００５０】
表示部３２は、たとえばＬＣＤ（Ｌｉｑｕｉｄ  Ｃｒｙｓｔａｌ  Ｄｉｓｐｌａｙ）や有機ＥＬ（Ｅｌｅｃｔｒｏｌｕｍｉｎｅｓｃｅｎｃｅ）等のパネル型ディスプレイにより構成され、制御部３１により制御されて所定の表示情報を表示する。音声出力部３３と振動機構部３４は、それぞれ薬剤ケース２のものと同様に構成される。表示部３２、音声出力部３３及び振動機構部３４は、それぞれ本発明の「報知手段」の一例に相当する。
【００５１】
操作部３５は、携帯端末３の操作を行うための各種のボタンやジョグダイアルやスイッチ等により構成される。また、音声入力による操作が可能な構成を採用する場合には、音声入力用のマイクロフォン等を操作部３５として用いることができる。操作部３５は、ユーザ等によって操作されると、その操作内容に応じた信号を制御部３１に入力する。制御部３１は、この信号に基づいて携帯端末３を動作させる。
【００５２】
記憶部３６は、ＲＯＭやＥＥＰＲＯＭ等の記憶装置により構成され、表示部３２により表示される表示情報、音声出力部３３により出力される音声情報、振動機構部３４による振動の態様（振動情報）などが記憶されている。表示情報としては、たとえば「薬を取りに戻ってください！」等の警告メッセージや、所定の警告画像などが記憶されている。音声情報としては、警告音を長く複数回出力させること、ユーザが操作を行うまで警告音を出力し続けること、音量レベルが「高」であることなど、出力される音声の態様が記憶されている。振動の態様としては、振動を発生する時間間隔、振動の発生回数、ユーザが操作を行うまで振動させ続けることなどが記憶されている。制御部３１は、この記憶部３６に記憶された情報を参照して、表示部３２、音声出力部３３、振動機構部３４を制御して報知情報を出力させる。
【００５３】
通信部３７は、たとえば、アンテナ、無線通信回路、ＩＣタグのリーダ、ＩＣタグ、赤外線送信回路、赤外線受信回路などの通信インターフェイスを含んで構成される。
【００５４】
［リモートエンジンスタータの構成］
リモートエンジンスタータ４は、たとえば携帯電話と同様の外観形態（図２参照）を有している。また、携帯端末３とリモートエンジンスタータ４とを一体的に構成することもできる。たとえば、携帯端末３の機能とリモートエンジンスタータ４の機能とを搭載した携帯電話等の端末装置を用いることができる。このリモートエンジンスタータ４は、本発明の「操作装置」の一例に相当するものである。
【００５５】
リモートエンジンスタータ４は、制御部４１、表示部４２、音声出力部４３、振動機構部４４、操作部４５、記憶部４６及び通信部４７を含んで構成される。これら各部４１〜４７は、それぞれ携帯端末３の制御部３１、表示部３２、音声出力部３３、振動機構部３４、操作部３５、記憶部３６及び通信部３７と同様に構成される。表示部４２、音声出力部４３、振動機構部４４は、それぞれ、本発明の「報知手段」の一例に相当する。
【００５６】
［車両制御装置の構成］
車両制御装置５０は、制御部５１、音声出力部５２、エンジン制御部５３、ドアロック制御部５４及び通信部５５を含んで構成される。制御部５１、音声出力部５２、通信部５５は、それぞれ、携帯端末３の制御部３１、音声出力部３３、通信部３７と同様に構成されている。
【００５７】
エンジン制御部５３は、車両５のエンジン５６の動作を制御（一般に、電子制御などと呼ばれる。）するマイクロプロセッサや回路などを含んで構成される。ドアロック制御部５４は、ドアロック動作（ロック、ロック解除、集中ドアロック等）を制御するマイクロプロセッサや回路などを含んで構成される。なお、ドアロック機構部５７は、モータ等の駆動装置、その駆動力を伝達する伝達機構などを含んで構成される。なお、エンジン制御部５３やドアロック制御部５４のマイクロプロセッサ等は、制御部５１と供用するようにしてもよいし、個別に設けるようにしてもよい。
【００５８】
［システムの使用形態］
以上のような構成を有する物品管理システム１の使用形態を説明する。本システム１には、様々な使用形態がある。以下、その一例を一つずつ説明していく。なお、以下に説明する使用形態のうちの２つ以上を適宜に組み合わせて運用することも可能である。
【００５９】
〔第１の使用形態〕
物品管理システム１の第１の使用形態は、車両制御装置５０が中心となって処理を行うものである。図３に示すフローチャートは、この第１の使用形態の処理の一例を表している。
【００６０】
ユーザは、薬剤ケース２、携帯端末３及びリモートエンジンスタータ４を携帯して車両５に近づいていく。このとき、これらのうちの少なくとも１つを忘れていることがあるが、車両５を運転する場合であるので、リモートエンジンスタータ４を携帯している可能性は比較的高いと思われる。一方、薬剤ケース２や携帯端末３については、比較的忘れる可能性が高いと思われる。
【００６１】
ユーザにより携帯されているか否かに関わらず、薬剤ケース２の通信部２４及び携帯端末３の通信部３７は、それぞれ、たとえば一定の時間間隔で電波（又は赤外線等；以下同様）を発信している（Ｓ１）。ここで、各通信部２４、３７からの電波は、所定の到達距離を有している。
【００６２】
車両制御装置５０の通信部５５が、薬剤ケース２及び携帯端末３の双方からの電波を受信した場合においては（Ｓ２；Ｙ、Ｓ３；Ｙ）、ユーザがリモートエンジンスタータ４を操作したことに対応し（Ｓ４）、制御部５１は、エンジン制御部５３に指示を出してエンジン５６を始動させる（Ｓ５）とともに、ドアロック制御部５４に指示を出してドアロックを解除させる（Ｓ６）。ユーザは、そのまま車両５を運転することができる。
【００６３】
一方、薬剤ケース２及び携帯端末３の少なくとも一方からの電波を受信しない場合においては（Ｓ２；Ｎ、Ｓ３；Ｎ）、制御部５１は、音声出力部５２を制御して音声情報を出力させるとともに（Ｓ７）、エンジン制御部５３を制御してエンジン５６の始動を禁止する（Ｓ８）。すなわち、リモートエンジンスタータ４からエンジン始動の指示を受けたとしても、その指示を無効にしてエンジン５６を始動させないようにする。ここで、ドアロックの解除についても禁止するように構成してもよい。
【００６４】
ユーザは、出力された音声情報により忘れ物をしたことを認識でき、薬剤ケース２や携帯端末３を携帯しているかを確認することができる。忘れ物を確認したら、それを取りに行ってから車両５を運転することになる。また、エンジン５６の始動が禁止されるので、リモートエンジンスタータ４からエンジン始動の指示がなされても、車両５を運転することができない。
【００６５】
このように、第１の使用形態によれば、ユーザは、薬剤ケース２と携帯端末３とを携帯していない限り、車両５を運転することができない。
【００６６】
〔第２の使用形態〕
物品管理システム１の第２の使用形態は、リモートエンジンスタータ４が中心となって処理を行うものである。図４に示すフローチャートは、この第２の使用形態の処理の一例を表している。
【００６７】
ユーザにより携帯されているか否かに関わらず、薬剤ケース２と携帯端末３は、それぞれ一定の時間間隔で電波を発信している（Ｓ１１）。
【００６８】
リモートエンジンスタータ４の通信部４７が、薬剤ケース２と携帯端末３の双方から電波を受信した場合（Ｓ１２；Ｙ、Ｓ１３；Ｙ）、制御部４１は、通信部４７を制御して、エンジン５６の始動を許可する旨の情報を含む信号（始動許可信号）を送信する（Ｓ１４）。車両制御装置５０は、この始動許可信号を受信すると（Ｓ１５）、リモートエンジンスタータ４への操作に対応して（Ｓ１６）、エンジン５６を始動させる（Ｓ１７）とともに、ドアロックを解除させる（Ｓ１８）。ユーザは、そのまま車両５を運転することができる。
【００６９】
一方、薬剤ケース２及び携帯端末３の少なくとも一方からの電波を受信しない場合（Ｓ１２；Ｎ、Ｓ１３；Ｎ）、制御部４１は、通信部４７を制御して、エンジン５６の始動を禁止する旨の情報を含む信号（始動禁止信号）を送信する（Ｓ１９）。車両制御装置５０は、この始動禁止信号を受信すると（Ｓ２０）、音声情報を出力させるとともに（Ｓ２１）、エンジン５６の始動を禁止する（Ｓ２２）。ここで、ドアロックの解除についても禁止するようにしてもよい。ユーザは、音声情報により薬剤ケース２や携帯端末３を携帯しているか確認できる。また、薬剤ケース２と携帯端末３の双方を携帯していないとエンジン５６の始動が禁止されるので、ユーザは、薬剤ケース２と携帯端末３を携帯していない限り、車両５を運転することができない。
【００７０】
〔第３の使用形態〕
物品管理システム１の第３の使用形態は、携帯端末３が中心となって処理を行うものである。図５に示すフローチャートは、この第３の使用形態の処理の一例を表している。
【００７１】
ユーザにより携帯されているか否かに関わらず、薬剤ケース２は、一定の時間間隔で電波を発信している（Ｓ３１）。
【００７２】
携帯端末３の通信部３７が、薬剤ケース２から電波を受信した場合（Ｓ３２；Ｙ）、制御部３１は、通信部３７を制御して、エンジン５６の始動を許可する旨の情報を含む始動許可信号を送信する（Ｓ３３）。車両制御装置５０は、この始動許可信号を受信すると（Ｓ３４）、リモートエンジンスタータ４への操作に対応して（Ｓ３５）、エンジン５６を始動させる（Ｓ３６）とともに、ドアロックを解除させる（Ｓ３７）。ユーザは、そのまま車両５を運転することができる。
【００７３】
一方、携帯端末３が薬剤ケース２からの電波を受信しない場合（Ｓ３２；Ｎ）、制御部３１は、通信部３７を制御して、エンジン５６の始動を禁止する旨の情報を含む始動禁止信号を送信する（Ｓ３８）。車両制御装置５０は、この始動禁止信号を受信すると（Ｓ３９）、音声情報を出力させるとともに（Ｓ４０）、エンジン５６の始動を禁止する（Ｓ４１）。ここで、ドアロックの解除についても禁止するようにしてもよい。ユーザは、音声情報により薬剤ケース２や携帯端末３を携帯しているか確認できる。また、ユーザは、薬剤ケース２と携帯端末３を携帯していない限り、車両５を運転することができない。
【００７４】
この第３の使用形態を適用する場合、次のような機能を付加することができる。まず、携帯端末３から、たとえば一定の時間間隔で信号を発信するように構成する。車両制御装置５０は、この携帯端末３からの信号を受信するまでの間、エンジン５６の始動を禁止する。それにより、携帯端末３を携帯しないユーザがリモートエンジンスタータ４によってエンジン５６の始動を指示したとしてもエンジン５６が始動されない。
【００７５】
また、薬剤ケース２や携帯端末３から発信される信号を未だ受信していない場合に、リモートエンジンスタータ４からのエンジン５６の始動指示を受信したとき、音声情報等の報知情報を出力するようにしてもよい。それにより、ユーザは、薬剤ケース２等を携帯していないことを認識できるとともに、薬剤ケース２等を携帯しないユーザが車両５を運転することを禁止ないしは抑制することができる。
【００７６】
また、携帯端末３が薬剤ケース２からの信号を受信できないときに、携帯端末３から報知情報を出力するように構成することもできる。携帯端末３が薬剤ケース２からの信号を受信できないということは、薬剤ケース２と携帯端末３とが通信可能な距離よりも離れていることを意味する。したがって、ユーザが携帯端末３を携帯している場合、薬剤ケース２を携帯していないことになるので、薬剤ケース２の忘れ物を防止することができる。
【００７７】
［変形例］
以上のような第１の実施形態に係る物品管理システム１に関する各種の変形例について説明する。
【００７８】
〔変形例１〕
薬剤ケース２や携帯端末３からたとえば一定間隔で発信される信号をリモートエンジンスタータ４が受信できないときに、リモートエンジンスタータ４の表示部４２、音声出力部４３、振動機構部４４により報知情報を出力するように構成することができる。なお、薬剤ケース２等からの信号の受信の有無の判断は、任意のタイミングで行うことができる。たとえば、リモートエンジンスタータ４の電源を投入したときに行ってもよいし、電源投入後に一定間隔で行ってもよいし、エンジン５６の始動指示の操作がなされたときに行ってもよい。
【００７９】
前述のように、車両５を運転するときにはリモートエンジンスタータ４を携帯している可能性は、薬剤ケース２等を携帯している可能性よりも高いと思われる。したがって、リモートエンジンスタータ４により薬剤ケース２等の携帯の有無を判断することは、薬剤ケース２等の忘れ物を防止するために有効と考えられる。
【００８０】
〔変形例２〕
携帯端末３からたとえば一定間隔で発信される信号を薬剤ケース２（の通信部２４）が受信できないときに、薬剤ケース２の音声出力部２２や振動機構部２３によって報知情報を出力するように構成することができる。
【００８１】
それにより、ユーザが薬剤ケース２を携帯しているが、携帯端末３を携帯していないときに、携帯端末３を忘れたことをユーザに知らせることができる。
【００８２】
〔変形例３〕
車両５の使用者が複数いる場合には、当該ユーザが使用しようとしていることを識別してエンジンの始動禁止や報知情報の出力を行えることが望ましい。それを実現するために、たとえば、ユーザの体表面や体内に、当該ユーザの識別情報を記憶したＩＣチップを装着する。
【００８３】
このＩＣチップには、ユーザの識別情報を含む信号を発信する発信手段（たとえば通信回路やアンテナ等を含む）が設けられている。この発信手段は、たとえば、所定の到達距離を有する電波を発信する。ユーザは、このＩＣチップと発信手段を常時身につけていることが望ましい。そのために、たとえば指輪、ピアス等のアクセサリや、心臓のペースメーカ等の医療機器などにこのＩＣチップ等を設けることができる。発信手段を有するこのようなＩＣチップは、本発明の「信号発信手段」の一例に相当する。
【００８４】
ユーザが車両５に近づいていくと、車両制御装置５０の通信部５５が、信号発信手段からの電波信号を受信する。制御部５１は、この電波信号が受信されたことに対応し、薬剤ケース２や携帯端末３に対して応答信号を送信するように要求する信号（応答要求信号）を生成し、通信部５５に送信させる。この応答要求信号は、所定の到達距離（たとえば信号発信手段からの信号と同程度の到達距離）を有している。
【００８５】
薬剤ケース２や携帯端末３は、この応答要求信号を受信すると、その要求に応じて所定の応答信号を送信する。
【００８６】
車両制御装置５０は、この応答信号を受信した場合において、リモートエンジンスタータ４からのエンジン５６の始動指示を受信したときには、その指示に応じてエンジン５６を始動させる。
【００８７】
一方、ユーザが薬剤ケース２や携帯端末３を携帯していないときには、車両制御装置５０は薬剤ケース２等からの応答信号を受信できない。このように応答信号を受信しない場合、車両制御装置５０は、報知情報を出力するとともに、リモートエンジンスタータ４からのエンジン始動指示を受信してもエンジン５６を始動させないように制御する（つまりエンジン５６の始動を禁止する。）。ここで、ドアロックの解除についても同様に制御することができる。
【００８８】
なお、信号発信手段からの信号を受信せずにリモートエンジンスタータ４からのエンジン始動指示を受信した場合、車両制御装置５０は、そのエンジン始動指示に応じてエンジン５６を始動させる。すなわち、この場合は、ユーザ以外の者が車両５を運転しようとしているからである。
【００８９】
このような構成によれば、車両５を運転しようとしている者がユーザであるか若しくはそれ以外の者であるかを識別できる。そして、ユーザが運転しようとしている場合には、薬剤ケース２等の携帯の有無を判断して、報知情報の出力やエンジンの始動禁止などを実施することができ、薬剤ケース２等を携帯しないまま車両５を運転することを防止することができる。また、ユーザ以外の者が運転しようとしている場合には、リモートエンジンスタータ４からの指示をそのまま受け付けることができるので、報知情報が出力されてしまうなどの不要かつ面倒な事態が生じることがない。
【００９０】
〈第２の実施形態〉
本発明に係る物品管理システムの第２の実施形態は、ユーザが車両を運転しているときに、特定の物品を携帯しているかどうかを確認するとともに、携帯していない場合にはその物品を取りに戻るように促すように作用するものである。
【００９１】
［システム構成］
本実施形態の物品管理システムの構成の一例を図６に示す。同図に示す物品管理システム１０は、第１の実施形態と同様の薬剤ケース２と携帯端末３と車両制御装置５０とを含んで構成される。なお、本実施形態において、第１の実施形態と同様の構成部分については同じ符号を付して説明することにする（以下の実施形態においても同様とする。）。
【００９２】
薬剤ケース２には、薬剤Ｍを格納する薬剤格納部２０とともに、制御部２１、音声出力部２２、振動機構部２３及び通信部２４が設けられている。これら各部は、第１の実施形態と同様に動作する。また、携帯端末３には、第１の実施形態と同様に、制御部３１、表示部３２、音声出力部３３、振動機構部３４、操作部３５、記憶部３６及び通信部３７が設けられている。
【００９３】
車両制御装置５０には、第１の実施形態と同様の制御部５１、音声出力部５２、エンジン制御部５３及び通信部５５とともに、計時部５８が設けられている。この計時部５８は、本発明の「計時手段」の一例に相当し、たとえば計時機能を有するマイクロプロセッサにより構成される。
【００９４】
［システムの使用形態］
このような物品管理システム１０の使用形態を説明する。この物品管理システム１０は、車両５が走行しているときに図７に示すフローチャートは、この第１の使用形態の処理の一例を表している。
【００９５】
ユーザ等が所定の操作を行ってエンジン５６を始動させると（Ｓ５１）、エンジン制御部５３から制御部５１に、エンジン５６が始動されたことを示す信号（エンジン始動信号）が入力される（Ｓ５２）。制御部５１は、このエンジン始動信号の入力を受けて、計時部５８に計時を開始させる（Ｓ５３）。
【００９６】
計時部５８が所定時間を計時すると（Ｓ５４）、制御部５１は、薬剤ケース２の検知を携帯端末３に要求する信号（検知要求信号）を通信部５５に送信させる（Ｓ５５）。ここで、ステップＳ５４の「所定時間」は、エンジン５６が始動されてから車両５が移動を開始し、ある程度の距離（後述の応答要求信号の到達距離を超える程度であれば十分である。）を走行するのに必要な時間とされる。
【００９７】
この検知要求信号を受信した携帯端末３は、薬剤ケース２に対して応答を要求する信号（応答要求信号）を送信する（Ｓ５６）。この応答要求信号は、所定の到達距離を有している。
【００９８】
携帯端末３は、薬剤ケース２からの応答信号を受信した場合（Ｓ５７；Ｙ）、応答信号を受信したことを示す信号（応答受信信号）を車両制御装置５０に送信する（Ｓ５８）。車両制御装置５０は、応答受信信号を受信すると、計時部５８による計時を終了させるなどした後に、処理を終了する。
【００９９】
一方、携帯端末３は、薬剤ケース２からの応答信号を受信しない場合（Ｓ５７；Ｎ）、その旨を示す信号（無応答信号）を車両制御装置５０に送信する（Ｓ５９）。無応答信号を受信した車両制御装置５０は、音声出力部５２により報知情報を出力する（Ｓ６０）。ユーザは、この報知情報により、薬剤ケース２を車外に置き忘れてきたことを認識することができ、それを取りに戻ることができる。
【０１００】
なお、ステップＳ５７において薬剤ケースからの応答信号を受信しないときに、携帯端末３が報知情報を出力するようにしてもよい。
【０１０１】
また、計時手段を携帯端末３に設けることができる。その場合、エンジン５６が始動されたときに車両制御装置５０から携帯端末３にエンジン始動を示す信号を送信し、この信号を受けて計時を開始し、所定時間が計時されたときに前述の応答要求信号を送信するように構成することができる。
【０１０２】
また、車両制御装置５０が応答要求信号を送信するように構成することもできる。また、車両５が移動を開始したときに計時手段による計時を開始するようにしてもよい。また、報知処理や計時処理などをリモートエンジンスタータ４によって実行するシステム構成を適用することも可能である。
【０１０３】
［変形例］
以上のような第２の実施形態に係る物品管理システム１０に関する各種の変形例について説明する。
【０１０４】
〔変形例１〕
図８は、本実施形態に係る物品管理システム１０の第１の変形例を示している。同図に示す物品管理システム１１は、物品管理システム１０とほぼ同様の構成を有する。物品管理システム１０との相違点は、車両制御装置５０のエンジン制御部５３及び計時部５８が不要であること、更に、車両５の走行距離を検出する走行距離検出部５９を備えていることである。
【０１０５】
走行距離検出部５９としては、車両５の走行距離を検出可能な任意の構成を用いることができる。たとえば、通常の自動車や自動２輪に搭載されている走行距離メータを用いてもよいし、ＧＰＳ（Ｇｌｏｂａｌ  Ｐｏｓｉｔｉｏｎｉｎｇ  Ｓｙｓｔｅｍ；全地球測位システム）を用いて車両５の走行ルートを追跡してその道のりを演算するようにしてもよい。この走行距離検出部５９は、本発明の「走行距離検出手段」の一例に相当するものである。
【０１０６】
この物品管理システム１１は、たとえば次のように動作する。まず、ユーザ等が車両５の走行を開始させると、走行距離検出部５９が走行距離の検出を開始する。走行距離検出部５９により検出される走行距離が所定距離に達すると、車両制御装置５０から携帯端末３に検知要求信号が送信される。検知要求信号を受信した携帯端末３は、薬剤ケース２に向けて応答要求信号を送信する。
【０１０７】
携帯端末３は、薬剤ケース２からの応答信号を受信したときには、車両制御装置５０に応答受信信号を送信し、本システム１１の処理は終了となる。
【０１０８】
一方、携帯端末３は、薬剤ケース２からの応答信号を受信しないときには、車両制御装置５０に無応答信号を送信する。無応答信号を受信した車両制御装置５０は、音声出力部５２により報知情報を出力する。ユーザは、この報知情報により、薬剤ケース２を車外に置き忘れてきたことを認識することができ、それを取りに戻ることができる。
【０１０９】
〔変形例２〕
第２の変形例は、薬剤ケース２と携帯端末３との距離を計測し、その計測距離に基づいてユーザに報知を行うものである。図９に示す物品管理システム１２は、この第２の変形例の一例を表している。
【０１１０】
この物品管理システム１２は、本実施形態の物品管理システム１０とほぼ同様の構成を有する。物品管理システム１０との相違点は、薬剤ケース２と携帯端末３にＧＰＳ部２５、３８が設けられていること、車両制御装置５０のエンジン制御部５３及び計時部５８が不要であること、更に、車両制御装置５０に距離算出部６０と記憶部６１が設けられていることである。また、詳細波高術するが、各通信部２４、３７、５５の通信態様も異なっている。
【０１１１】
薬剤ケース２に付設されたＧＰＳ部２５は、たとえば汎用のＧＰＳ機器によって構成され、ＧＰＳ衛星（及び地上のＧＰＳ基準局）から取得する電波情報に基づいて、薬剤ケース２の位置を計測する。このＧＰＳ部２５は、本発明の「第１の測位手段」の一例に相当する。
【０１１２】
薬剤ケース２の通信部２４は、遠距離通信を行うための通信インターフェイスを備えている。たとえば、携帯電話やＰＨＳ（Ｐｅｒｓｏｎａｌ  Ｈａｎｄｙｐｈｏｎｅ  Ｓｙｓｔｅｍ）等のように、近隣の基地局に向けて電波を送信し、公衆回線等を経由して情報を伝達する方式などを適用することができる。ＧＰＳ部２５によって計測された位置情報は、この遠距離通信用の方式で車両制御装置５０に向けて送信される。
【０１１３】
携帯端末３に設けられたＧＰＳ部３８は、たとえばＧＰＳ部２５と同様のＧＰＳ機器により構成されており、携帯端末３の位置計測を行うものである。このＧＰＳ部３８は、本発明の「第２の測位手段」の一例に相当する。携帯端末３の通信部３７は、薬剤ケース２の通信部２４と同様に構成され、ＧＰＳ部３８によって計測された位置情報を、遠距離通信用の方式で車両制御装置５０に向けて送信するようになっている。
【０１１４】
車両制御装置５０の通信部５５は、薬剤ケース２や携帯端末３から送信された位置情報を受信するための通信インターフェイスを具備している。
【０１１５】
車両制御装置５０の距離算出部６０は、薬剤ケース２から送信された位置情報と、携帯端末３から送信された位置情報とに基づいて、薬剤ケース２と携帯端末３との間の距離を算出する。これらの位置情報は、たとえば緯度情報と経度情報とをそれぞれ含んでいる。距離算出部６０は、この緯度情報と経度情報とを用いて上記の距離の算出を行う。この距離算出部６０は、本発明の「距離算出手段」の一例に相当する。また、ＧＰＳ部２５、３８及び距離算出部６０は、本発明の「測距手段」の一例を構成するものである。
【０１１６】
記憶部６１は、ＲＯＭやＥＥＰＲＯＭ等の記憶装置により構成され、音声出力部５２により出力される音声情報等の報知情報のリストをあらかじめ記憶している。このような報知情報リストは、携帯端末３の記憶部３６にもあらかじめ記憶されている（リモートエンジンスタータ４を用いる場合には、その記憶部４６にも記憶される。）。
【０１１７】
報知情報リストの一例を図１０に示す。本変形例では、薬剤ケース２と携帯端末３との距離の変化状況に応じて報知情報を使い分けるようになっている。図１０に示す報知情報リストは、「距離の変化状態」として、「距離の変化開始」、「距離が拡大」、「距離が更に拡大」が設定されている。「距離の変化開始」は、車両５が発進した直後に相当する。「距離が拡大」は、発進後、起点から遠ざかっていく状況に相当する。「距離が更に拡大」は、「距離が拡大」に対応する報知情報の出力後、更に距離が拡大していく状況に相当する。
【０１１８】
図１０の報知情報リストには、これらの各状況において出力される「表示情報」、「音声情報」及び「振動情報」が設定されている。「表示情報」としては、「距離の変化開始」に対応する「薬が外にあるようです」、「距離が拡大」に対応する「薬を忘れています！」、「距離が更に拡大」に対応する「薬を忘れています！！！」がそれぞれ設定されている。また、「音声情報としては、「距離の変化開始」に対応する「短い警告音を１回出力／音量レベル高」、「距離が拡大」に対応する「長い警告音を複数回出力／音量レベル中」、「距離が更に拡大」に対応する「長い警告音を１回出力／音量レベル高」がそれぞれ設定されている。また、振動情報としては、「距離の変化開始」に対応する「複数回振動させる」、「距離が拡大」に対応する「複数回振動させる」、「距離が更に拡大」に対応する「振動を継続する」がそれぞれ設定されている。
【０１１９】
なお、携帯端末３の記憶部３６には、図１０の報知情報リストが記憶されている。また、車両制御装置５０の記憶部６１には、図１０の報知情報リストのうち「音声情報」に関する部分のみが記憶されていれば十分である。すなわち、当該装置が備える報知手段の形態に対応する報知情報を含んでいれば十分である。
【０１２０】
なお、車両制御装置５０から報知情報を送信し、それを受信した携帯端末３が報知情報を出力するようなシステム構成を適用する場合には、車両制御装置５０の記憶部６１に全形態の報知情報を記憶させておく。
【０１２１】
車両制御装置５０の記憶部６１には、更に、薬剤ケース２と携帯端末３との間の距離の閾値の情報があらかじめ記憶されている。この閾値情報は、たとえば「閾値＝１０メートル、２００メートル」のように段階的に設定されている。なお、最小の閾値（本例では１０メートル）は、車両５の長さよりも大きいことが望ましい（すなわち、車両５の外部に薬剤ケース２があるときに報知情報を出力させたいからである。）。
【０１２２】
以上のように構成された物品管理システム１２の使用形態について、図１１を参照しつつ説明する。図１１に示すフローチャートは、この物品管理システム１２の使用形態の一例を表している。
【０１２３】
まず、車両５が発進される前の段階について説明する。薬剤ケース２のＧＰＳ部２５及び携帯端末３のＧＰＳ部３８は、それぞれ所定の時間間隔で断続的に位置計測を行い、その位置情報を車両制御装置５０に向けて送信する。車両制御装置５０の距離算出部６０は、それらの位置情報に基づいて薬剤ケース２と携帯端末３との間の距離（発進前距離）を算出する（Ｓ６１）。算出された距離は、記憶部６１等に保存される（以下同様）。なお、ステップＳ６１の一連の処理を「距離を計測する」、「距離計測」などと呼ぶことがある。
【０１２４】
ユーザ等が車両５を発進する（Ｓ６２）。距離算出部６０は、車両発進後に送信されてきた位置情報に基づいて距離を算出する（Ｓ６３）。制御部５１は、この距離と発進前距離とを比較することにより距離が変化したことを認識する。更に、制御部５１は、ステップＳ６３で算出された距離の値が、最小閾値（前述の例では１０メートル）よりも大きいか判断する（Ｓ６４）。
【０１２５】
最小閾値よりも大きい場合（Ｓ６４；Ｙ）、図１０の報知情報リストにおける「距離の変化開始（車両発進時）」に対応する報知情報を音声出力部５２により出力する（Ｓ７４）。このとき、携帯端末３に指示信号を送信して携帯端末３から報知情報を出力するようにしてもよい（以下同様）。この報知情報に気付いたユーザ等が車両５を起点に向かわせ、計測距離が最小閾値以下になると（Ｓ６８；Ｙ）、報知情報の出力を終了させる（Ｓ６９）。なお、ユーザ等が所定の操作を行うことで報知情報の出力を終了させるようにしてもよい。一方、報知情報に気付かずにそのまま車両５を進行させた場合は（Ｓ６８；Ｎ）、ステップＳ７０に移行する（後述する）。
【０１２６】
最小閾値よりも小さい場合（Ｓ６４；Ｎ）、断続的に受信する位置情報に基づいて距離計測を反復する（Ｓ６５、Ｓ６６；Ｎ）。計測距離が最小閾値を超えると（Ｓ６６；Ｙ）、制御部５１は、音声出力部５２を制御して、報知情報リストの「距離が拡大」に対応する報知情報を出力させる（Ｓ６７）。
【０１２７】
この報知情報に気付いたユーザ等が車両５を起点に向かわせると、断続的に計測される距離の値は次第に小さくなっていく。制御部５１は、計測距離が最小閾値以下になったときに（Ｓ６８；Ｙ）、報知情報の出力を終了させる（Ｓ６９）。なお、計測距離の値が減少し始めたときなど、車両５が起点に向かっているものと判断できる任意のタイミングで報知を終了させることができる。
【０１２８】
ステップＳ６７で出力された報知情報に気付かずにそのまま車両５を進行させると（Ｓ６８；Ｎ）、計測距離の値は次第に大きくなっていく。計測距離の値が最小閾値の次の閾値（前述の例では２００メートル）を超えると（Ｓ７０）、車両制御装置５０は、報知情報リストの「距離が更に拡大」に対応する報知情報を出力させる（Ｓ７１）。
【０１２９】
この報知情報に気付いたユーザ等が車両５を起点に向かわせた場合には（Ｓ７２；Ｙ）、計測距離の減少に応じて報知情報の出力を終了させる（Ｓ６９）。
【０１３０】
一方、報知情報に気付かずにそのまま車両５を進行させた場合には（Ｓ７２；Ｎ）、計測距離の増大に応じて報知情報の出力頻度を増加させ、出力内容（音量レベル等）を変更させるなどして報知情報の強度を増大させる（Ｓ７３）。この状態は、ユーザ等が報知情報に気付いて車両５を起点に向かわせるまで続くことになる。
【０１３１】
このような本変形例の物品管理システム１２によれば、車両５に乗車するときなどに薬剤ケース２又は携帯端末３を車外に置き忘れたままで、起点を離れてしまったことをユーザに報知することができる。
【０１３２】
また、本変形例は、薬剤ケース２と携帯端末３との間の距離の変化に応じて、報知情報の出力頻度や強度（出力内容）を変更するようになっている。特に、図１０の報知情報リストに示すように、距離の変化状況に応じて報知情報の出力内容を変更することによって緊急度を認識させることができるとともに、報知情報の音量レベル等を増大させることにより、ユーザ等が報知情報に気付く可能性を増大させることができる。また、出力頻度を変更することによっても、ユーザ等が報知情報に気付く可能性を増大させることができる。
【０１３３】
なお、距離の変化に応じた報知情報の出力頻度や強度の変更は、たとえば図１２に示すような態様で実施することが望ましい。この図１２は、手動操作によって報知情報が停止されない場合における、報知情報の変更態様の一例の概要を表したものである。
【０１３４】
同図における横軸は時間を示し、縦軸は薬剤ケース２と携帯端末３との距離を示している。また、山型の点線は、起点を出発してから薬剤を回収するために起点に戻ってくるまでの車両５の距離の変化を示している。また、各矢印は、報知情報が出力されたことを示し、その長さは報知情報の強度を示している。
【０１３５】
車両制御装置５０は、車両５が起点を出発してから所定距離（又は所定時間）だけ走行したときに第１回目の報知情報を出力する。この第１回目の報知情報は、それほど強度の高いものである必要はない。この報知情報に気付かずに車両５が起点から離れていくと、車両制御装置５０は、報知情報の出力頻度を次第に増加させつつ、強度についても次第に増大させていく。それにより、ユーザ等が報知情報が出力されていることを認識する可能性が次第に高まっていく。
【０１３６】
ユーザ等が報知情報を認識して車両５の進行方向を反転させるなどして起点との距離が減少し始めると、車両制御装置５０は、報知情報の出力頻度を次第に減少させつつ、強度についても次第に減少させていく。距離が減少し始めたときは、ユーザ等が本当に報知情報に気付いたかが明確ではない（たとえば寄り道をしたり、道を間違えて少しだけ戻ったりすることが想定される。）ので、強度の大きな報知情報を出力している。ある程度の距離を引き返して起点までの距離が短くなっていった場合には、本当に報知情報に気付いたものと判断できるので、報知情報の出力頻度は低くてよく、また強度についても低くてよい。
【０１３７】
以上に説明した第２の変形例は、薬剤ケース２と携帯端末３との距離に基づいて報知情報を出力するように構成されているが、薬剤ケース２と車両制御装置５０との距離や、携帯端末３と車両制御装置５０との距離に基づいて報知情報を出力するような構成を適用することも可能である。
【０１３８】
その場合、車両制御装置５０に測位手段（ＧＰＳ部等）を設けて車両５の位置を計測するように構成する。そして、この車両５の計測位置と、薬剤ケース２等の計測位置とに基づいて、距離算出部６０が距離を算出する。
【０１３９】
この構成によれば、薬剤ケース２と携帯端末３の双方を置き忘れた場合にも報知情報を出力できるという利点がある。もちろん、それぞれを置き忘れた場合にも報知情報は出力される。
【０１４０】
〔その他変形例〕
第１の実施形態と同様の信号発信手段をユーザに装着することにより、当該ユーザが車内にいるときにのみ、本実施形態や上記変形例で説明した処理を作動させることができる。そのためには、たとえば、信号発信手段からの信号を車両制御装置５０が受信したときにのみ、距離算出部６０等が作動を開始するように制御すればよい。
【０１４１】
〈第３の実施形態〉
本発明に係る物品管理システムの第３の実施形態は、外出等しようとしている者がユーザであるかを識別して報知を行うように作用するものである。本実施形態に係る物品管理システムでは、ユーザ及びその家族等の複数人が、それぞれ携帯端末を保有しているものとする。
【０１４２】
［システム構成］
本実施形態の物品管理システムの構成の一例を図１３に示す。同図に示す物品管理システム１００には、第１の実施形態と同様に、薬剤Ｍを格納する薬剤格納部２０とともに、制御部２１、音声出力部２２、振動機構部２３及び通信部２４薬剤ケース２が設けられた薬剤ケース２が含まれている。この薬剤ケース２は、前述のように、ユーザの携帯に供される。
【０１４３】
また、この物品管理システム１００においては、ユーザの携帯に供される携帯端末３Ａと、ユーザ以外の者の携帯に供される携帯端末３Ｂとの２種類の携帯端末が設けられている。ここで、ユーザが複数人いる場合には、各ユーザにはそれぞれ個別の携帯端末３Ａが割り当てられる。また、ユーザ以外の者が複数人いる場合には、それらの各人に個別の携帯端末３Ｂが割り当てられる。携帯端末３Ｂは、たとえば、ユーザに緊急の事態（病変など）が発生したときに、その旨を示す情報を受信する装置として用いられる。
【０１４４】
携帯端末３Ａには、第１の実施形態と同様に、制御部３１Ａ、表示部３２Ａ、音声出力部３３Ａ、振動機構部３４Ａ、操作部３５Ａ、記憶部３６Ａ及び通信部３７Ａが設けられている。記憶部３６Ａには、当該携帯端末３Ａに固有のユーザＩＤ情報３６ａ（第１の識別情報）があらかじめ記憶されている。
【０１４５】
一方、携帯端末３Ｂにも同様に、制御部３１Ｂ、表示部３２Ｂ、音声出力部３３Ｂ、振動機構部３４Ｂ、操作部３５Ｂ、記憶部３６Ｂ及び通信部３７Ｂが設けられており、記憶部３６Ｂには、当該携帯端末３Ｂに固有のＩＤ情報３６ｂ（第２の識別情報）があらかじめ記憶されている。
【０１４６】
ユーザに緊急の事態が発生した場合、携帯端末３Ａから緊急信号が送信される。この緊急信号は、たとえば公衆回線を経由して携帯端末３Ｂに伝送される。携帯端末３Ｂは、緊急信号を受信すると、表示部３２Ｂにメッセージを表示させたり、音声出力部３２Ｂに警告音を出力させたり、振動機構部３４Ｂにより振動を発生させたりして、携帯端末３Ｂを携帯している者に緊急事態の発生を報知する。
【０１４７】
本実施形態の物品管理システム１００には、ユーザが薬剤ケース２等を携帯しているかを管理するための管理装置６が設けられている。この管理装置６は、前述の特許文献２に記載の物品検知装置のように、家の玄関などに設置されている。
【０１４８】
なお、管理装置６の設置場所は、家の玄関に限定されるものではなく、たとえば家の裏口や廊下などのように、人が屋内から屋外に出るときや屋外から屋内に入るときに通過する任意の場所に設置できる。また、ユーザ等の家だけでなく、任意の建造物に設置することも可能である。
【０１４９】
管理装置６には、制御部６２、表示部６３、音声出力部６４、記憶部６５、判断処理部６６及び通信部６７が設けられている。制御部６２は、管理装置６の各部の制御を行うもので、マイクロプロセッサ等を含んで構成される。表示部６３は、制御部６２の制御にしたがって画像やメッセージ等の表示情報（報知情報）を表示するＬＣＤ等のパネル型ディスプレイにより構成される。この表示部６３は、管理装置６の本体に配設されていてもよいし、玄関ドアなどに配設されていてもよい。音声出力部６４は、制御部６２の制御に従って音声情報（報知情報）を出力する。
【０１５０】
記憶部６５は、ＲＯＭやＥＥＰＲＯＭ等の記憶装置により構成され、表示部６３により表示される表示情報や、音声出力部６４により出力される音声情報をあらかじめ記憶している。また、記憶部６５には、携帯端末３Ａに記憶されたユーザＩＤ情報３６ａと、携帯端末３Ｂに記憶されたＩＤ情報３６ｂとが記憶されている。記憶部６５は、本発明の「記憶手段」の一例に相当する。
【０１５１】
判断処理部６６は、管理装置６が信号を受信したときに、その信号に携帯端末３Ａ又は携帯端末３Ｂの識別情報（ユーザＩＤ情報３６ａ、ＩＤ情報３６ｂ）が含まれているかを判断する処理を行う。この処理は、受信した識別情報と、記憶部６５に記憶されたユーザＩＤ情報３６ａ、ＩＤ情報３６ｂとを照合することによって行う。判断処理部６６は、本発明の「判断手段」の一例に相当するものであり、マイクロプロセッサ等を含んで構成される。
【０１５２】
通信部６７は、薬剤ケース２や携帯端末３Ａ、３Ｂに対する信号の送信処理と、それらから送信された信号の受信処理を行う通信インターフェイスである。
【０１５３】
［使用形態］
本実施形態に係る物品管理システム１００の使用形態について説明する。図１４に示すフローチャートは、この物品管理システム１００の使用形態の一例を表している。
【０１５４】
管理装置６は、常時、信号を発信している（Ｓ８１）。この信号は、携帯端末に対して応答信号を要求する情報を含むものであり、たとえば数十センチ〜数メートル程度の到達距離を有する電波信号や赤外線信号である。管理装置６の到達距離は、玄関の広さなどに応じて適宜に設定される。
【０１５５】
外出しようとする者が玄関に近づくと、その者が携帯している携帯端末３Ａ又は携帯端末３Ｂは、管理装置６から発信された信号を受信し（Ｓ８２）、識別情報（ユーザＩＤ情報３６ａ又はＩＤ情報３６ｂ）を含む応答信号を送信する（Ｓ８３）。
【０１５６】
管理装置６がこの応答信号を受信すると（Ｓ８４）、判断処理部６６は、この応答信号に含まれる識別情報と、記憶部６５に記憶されたユーザＩＤ情報３６ａ、ＩＤ情報３６ｂとを照合して、受信した識別情報がユーザＩＤ情報３６ａ及びＩＤ情報３６ｂのどちらであるかを判断する（Ｓ８５）。
【０１５７】
受信した識別情報がユーザＩＤ情報３６ａである場合（Ｓ８６；Ｙ）、すなわち、外出しようとする者がユーザである場合、管理装置６は、薬剤ケース２に対して応答を要求する信号を送信する（Ｓ８７）。この信号の到達距離は、ステップＳ８１にて送信する信号と同程度に設定されている。
【０１５８】
この信号に対する薬剤ケース２からの応答信号を受信した場合（Ｓ８８；Ｙ）、すなわち、ユーザが薬剤ケース２を携帯して外出しようとしている場合、管理装置６は、報知情報を出力させずに処理を終了する。
【０１５９】
また、薬剤ケース２からの応答信号を受信しない場合（Ｓ８８；Ｎ）、すなわち、ユーザが薬剤ケース２を携帯しないで外出しようとしている場合、管理装置６は、表示部６３及び／又は音声出力部６４により報知情報を出力する（Ｓ８９）。
【０１６０】
一方、ステップＳ８４にて受信した識別情報がＩＤ情報３６ｂである場合には（Ｓ８６；Ｎ）、管理装置６は、報知情報を出力させずに処理を終了する。
【０１６１】
このように作用する本実施形態の物品管理システム１００によれば、外出しようとする者がユーザであるか又はそれ以外の者であるかを識別することができる。外出しようとする者がユーザである場合、薬剤ケース２を携帯しているかを確認し、携帯していないときには報知情報を出力して、薬剤ケース２を携帯するように促すことができる。一方、ユーザが薬剤ケースを携帯しているときや、ユーザ以外の者が外出しようとするときには、報知情報が出力されない。特に後者の場合においては、ユーザ以外の者に対して不要な報知を行うことがなく、誤報を防止できるという利点がある。
【０１６２】
［変形例］
本実施形態に係る物品管理システム１００の変形例を説明する。
【０１６３】
［変形例１］
上記の物品管理システム１００においては、報知情報の出力処理を管理装置６が行っているが、携帯端末３Ａに報知情報を出力させることも可能である。これを実現するためには、たとえば次のような使用形態を適用することができる。
【０１６４】
図１４のフローチャートのステップＳ８８において、管理装置６が薬剤ケース２からの応答信号を受信しない場合に（Ｓ８８；Ｎ）、管理装置６から携帯端末３Ａに向けて所定の信号を送信する。携帯端末３Ａは、この所定の信号を受信したことに対応して報知情報の出力を行う。
【０１６５】
それにより、ユーザは、自身が薬剤ケース２を携帯していないことを認識することができ、それを取りに行ってから外出することができる。
【０１６６】
ここで、所定の信号の送信先を、ユーザ以外の者が携帯する携帯端末３Ｂとし、この携帯端末３Ｂによって報知情報を出力するようにしてもよい。これによれば、報知情報を認識した者がユーザに薬剤ケース２を携帯するように指示したり、薬剤ケース２を持っていってユーザに渡したりすることができる。この使用形態は、たとえば、ユーザが車椅子に乗っているなど、薬剤ケース２を取りに戻るのに困難を伴う場合や、ユーザが認知症を患っている場合などに有効である。なお、所定の信号の送信先として、携帯端末３Ａ、３Ｂの双方を設定することも可能である。
【０１６７】
［変形例２］
上記の物品管理システム１００においては、ユーザが携帯端末３Ａを携帯していることを前提として、薬剤ケース２の携帯の有無を確認する構成を採用したが、逆に、ユーザが薬剤ケース２を携帯していることを前提として、携帯端末３Ａの携帯の有無を確認するように構成することが可能である。
【０１６８】
そのために、たとえば、管理装置６が常時発信している信号を薬剤ケース２が受信すると、この薬剤ケース２は、管理装置６に向けて応答信号を送信する。この応答信号を受信した管理装置６は、携帯端末３Ａに対して応答を要求する信号を送信する。管理装置６は、この携帯端末３Ａからの応答信号を受信しない場合に報知情報を出力する。ここで、薬剤ケース２に向けて所定の信号を送信し、この所定の信号を受信した薬剤ケース２が報知情報を出力するようにしてもよい。
【０１６９】
この変形例によれば、ユーザが携帯端末３Ａを携帯しないままで外出してしまうことを防止することができる。
【０１７０】
［変形例３］
第３の変形例は、薬剤ケース２と携帯端末３Ａの双方をユーザが携帯していない場合であっても報知情報の出力を可能にするものである。
【０１７１】
そのために、信号を発信する信号発信手段（前述）をユーザに装着させる。ユーザが管理装置６に近づいていくと、管理装置６が、この信号発信手段からの信号を受信する。信号を受信した管理装置６は、薬剤ケース２及び／又は携帯端末３Ａに対して応答信号の送信を要求する信号を送信する。そして、管理装置６は、この応答信号を受信しない場合に報知情報を出力する。
【０１７２】
それにより、薬剤ケース２と携帯端末３Ａの双方をユーザが携帯していない場合であっても、報知情報を出力してユーザ等にその旨を認識させることができる。
【０１７３】
なお、ユーザ以外の者は、信号発信手段を装着していないため、そのまま外出することができる。したがって、不要な報知情報の出力を行うことがない。
【０１７４】
［変形例４］
第４の変形例は、玄関などにユーザの外出を検知するセンサ（ゲートセンサ）を設け、このゲートセンサによる検知結果と薬剤ケースの有無とに基づいて報知情報の出力を行う構成を有するものである。
【０１７５】
図１５は、この第４の変形例に係る物品管理システムの一例を表している。この物品管理システム１００′は、上記の物品管理システム１００と同様に構成された、薬剤ケース２、携帯端末３Ａ、３Ｂ、管理装置６を含んで構成される。
【０１７６】
本変形例の管理装置６には、ゲートセンサ７が有線又は無線で通信可能に接続されている。このゲートセンサ７は、上述のように、ユーザ等が外出時などに通過する任意の位置に設置され、ユーザ等の通過を検知するセンサである。
【０１７７】
このゲートセンサ７としては、たとえば次のような形態のものを使用することができる。ゲートセンサ７の第１の例としては、玄関のドアの開閉を電気的に検知するドアセンサを使用することができる。第２の例としては、ユーザ等が通過する空間を挟んで対峙する位置に配設された赤外線を送信する送信部と赤外線を受信する受信部とを備え、受信部が赤外線の受信が途切れたことによりユーザ等の通過を検知する赤外線ゲートセンサを用いることができる。第３の例としては、ユーザ等が通過する空間を挟んで対峙する位置に配設されたレーザを送信する送信部とレーザを受信する受信部とを備え、受信部がレーザの受信が途切れたことによりユーザ等の通過を検知するレーザゲートセンサを用いることができる。第４の例としては、ユーザ等が通過する空間を撮影するカメラ（撮像装置）と、その空間内を移動する物体を検知したことによりユーザ等の通過を検知する構成を用いることができる。第５の例としては、ユーザ等が通過する床に設けられた圧力センサによりユーザ等の通過を検知する構成を用いることができる。また、このような各種のゲートセンサを組み合わせてゲートセンサ７として用いることも可能である。
【０１７８】
ゲートセンサ７は、ユーザ等が外出する場合と帰宅した場合とを判別できるような構成とすることが望ましい。上記の第１の例においては、たとえば、室内側のドアノブと室外側のドアノブの双方にタッチセンサ等を設け、どちらのドアノブが操作されてドアが開閉されたかを検知するように構成することにより、ユーザ等が室外から室内に入って来たのか、又は室内から室外に出ていくのかを判別するように構成できる。上記の第２、第３の例においては、たとえば、送信部と受信部の対をユーザ等の移動方向に複数（たとえば２つ）配設し、ユーザ等の通過を検知した順序によって外出と帰宅とを判別するように構成できる。上記の第４の例においては、たとえば、撮影された移動物体の移動方向を検出し（公知の任意の画像処理を用いることが可能である。）、検出された移動方向によって外出と帰宅とを判別するように構成できる。上記の第５の例においては、たとえば、ユーザ等の移動方向に複数の圧力センサを配設し、ユーザ等の通過を検知した順序によって外出と帰宅とを判別するように構成できる。また、第５の例においては、ユーザ等の移動方向に延びる形状の圧力センサを設置し、この圧力センサが圧力を検知する位置の移動方向によって外出と帰宅とを判別するように構成することも可能である。
【０１７９】
本変形例の管理装置６の記憶部６５には、報知情報を出力するか否かを判断するために参照される報知判断情報６５ａが記憶されている。この報知判断情報６５ａは、たとえば図１６に示すような情報である。同図に示す報知判断情報６５ａには、ゲートセンサ７による検知結果（検知の有無）と、薬剤ケース２からの信号の受信の有無と、携帯端末３Ａ、３Ｂからの信号の受信の有無との組合せに応じてあらかじめ決定された報知情報の出力の有無が記録されている。なお、図１６の報知判断情報６５ａにおいて、「○」は報知情報を出力することを意味し、「×」は出力しないことを意味している。
【０１８０】
判断処理部６６は、上記の実施形態と同様に、管理装置６が信号を受信したときに、その信号に携帯端末３Ａ又は携帯端末３Ｂの識別情報（ユーザＩＤ情報３６ａ、ＩＤ情報３６ｂ）が含まれているかを判断する処理を行う。この処理は、受信した識別情報と、記憶部６５に記憶されたユーザＩＤ情報３６ａ、ＩＤ情報３６ｂとを照合することによって行う。
【０１８１】
また、判断処理部６６は、薬剤ケース２からの信号が受信されたか否かを判断する。更に、判断処理部６６は、ゲートセンサ７によるユーザ等の検知の有無と、薬剤ケース２からの信号の有無と、携帯端末３Ａ、３Ｂからの信号の有無とに基づき、報知情報を出力するか否かを報知判断情報６５ａを参照して判断する。
【０１８２】
なお、判断処理部６６は、ユーザ等が外出しようとする場合にのみ、当該判断処理を実行するように構成することが望ましい。すなわち、ユーザ等が帰宅したときには、薬剤ケース２の有無を判断する必要が無いからである。ここで、外出と帰宅の判別は、上述したゲートセンサ７による判別を参照すればよい。ただし、ユーザ等が帰宅したときにも薬剤ケース２の有無を判断するように構成することも可能である。たとえば、薬剤ケース２からの信号に基づいて薬剤ケース２の携帯の有無を記憶しておくとともに、ユーザ等が外出するときに薬剤ケース２を携帯しており、かつ、帰宅時に携帯していない場合に報知情報を出力することにより、薬剤ケース２の紛失をユーザ等に知らせることができる。
【０１８３】
このような構成の物品管理システム１００′によれば、次のような作用、効果が奏される。まず、ゲートセンサ７がユーザ等の通過を検知せず、管理装置６が薬剤ケース２からの信号を受信せず、かつ、携帯端末３Ａからの信号を受信した場合、管理装置６及び／又は携帯端末３Ａ（携帯端末３Ｂの報知を追加的に行ってもよい。）が報知情報を出力する。それにより、ゲートセンサ７がユーザの外出を検知できなかった場合であっても、ユーザが携帯端末３Ａさえ携帯していれば、薬剤ケース２を携帯せずに外出する事態を防止できる。
【０１８４】
また、ゲートセンサ７がユーザ等の通過を検知し、管理装置６が薬剤ケース２からの信号を受信せず、かつ、携帯端末３Ａからの信号を受信した場合、管理装置６及び／又は携帯端末３Ａ（携帯端末３Ｂの報知を追加的に行ってもよい。）が報知情報を出力する。この場合も、ユーザが携帯端末３Ａさえ携帯していれば、薬剤ケース２を携帯せずに外出する事態を防止できる。
【０１８５】
また、ゲートセンサ７がユーザ等の通過を検知し、管理装置６が薬剤ケース２からの信号を受信せず、かつ、携帯端末３Ａからの信号も携帯端末３Ｂからの信号も受信しない場合、管理装置６及び／又は携帯端末３Ａ（携帯端末３Ｂの報知を追加的に行ってもよい。）が報知情報を出力する。それにより、ユーザが携帯端末３Ａを携帯していなくでも、薬剤ケース２を携帯せずに外出する事態を防止できる。
【０１８６】
なお、薬剤ケース２からの信号を受信した場合には、薬剤ケース２を携帯して外出しようとしていることになるため、報知情報を出力しなくてもよい。
【０１８７】
以上に説明した構成は、ゲートセンサ７を用いた物品管理システムの一例に過ぎず、たとえばゲートセンサ７の具体的構成や報知判断情報６５ａの記録内容などを適宜に変形することが可能である。
【０１８８】
〈第４の実施形態〉
本発明に係る第４の実施形態を説明する。本実施形態は、薬剤ケースの携帯の有無を確認している第１〜第３の実施形態と異なり、その薬剤ケースの内部に適正量の薬剤が格納されているか否かを確認するものである。それにより、薬剤の補充を忘れてしまった場合などにおいて、薬剤ケースは携帯していても、それに十分な薬剤が格納されていないといった不都合を防止することができる。
【０１８９】
［システム構成］
本実施形態に係る物品管理システムの一例を図１７に示す。同図に示す物品管理システム１０００は、薬剤ケース２と携帯端末３を少なくとも含んで構成される。
【０１９０】
薬剤ケース２は、第１の実施形態と同様の薬剤格納部２０、制御部２１、音声出力部２２、振動機構部２３に加えて、格納量検出部２６を備えている。この格納量検出部２６は、たとえば、薬剤格納部２０の底部や仕切り板に設けられた小型の電子秤（電子天秤）によって構成され、薬剤格納部２０に格納されている薬剤Ｍの格納量を検出するように作用する。この格納量検出部２６は、本発明の「格納量検出手段」の一例に相当する。ここで、「格納量」とは、薬剤Ｍの重量や個数など、薬剤格納部２０内に薬剤Ｍがどれだけ存在するかを示す任意の単位を表すものとする。
【０１９１】
携帯端末３は、第１の実施形態と同様の制御部３１、表示部３２、音声出力部３３、振動機構部３４、操作部３５、記憶部３６及び通信部３７に加えて、格納量判断処理部３９を備えている。記憶部３６には、薬剤ケース２に格納されるべき薬剤Ｍの適正量（適正重量や適正個数等）の情報（適正量情報）があらかじめ記憶されている。格納量判断処理部３９は、薬剤ケース２の格納量検出部２６により検出された薬剤Ｍの格納量と、記憶部３６に記憶された適正量情報とを比較して、検出された薬剤格納量が適正量未満であるか判断する処理を行う。この格納量判断処理部３９は、本発明の「格納量判断手段」の一例に相当し、たとえばマイクロプロセッサ等を含んで構成されている。
【０１９２】
［使用形態］
このような物品管理システム１０００の使用形態について、図１８を参照しつつ説明する。同図に示すフローチャートは、この物品管理システム１０００の使用形態の一例を示す。ここでは、ユーザは、薬剤ケース２と携帯端末３の双方を携帯していることを前提とする。なお、薬剤ケース２等を携帯していない場合については、前述の実施形態で説明した要領で報知を行うことができる。
【０１９３】
まず、携帯端末３が、薬剤Ｍの格納量を検出し、その検出結果を送信するように要求する信号（格納量検出要求信号）を、薬剤ケース２に向けて送信する（Ｓ９１）。薬剤ケース２は、この格納量検出要求信号を受信すると（Ｓ９２）、格納量検出部２６により、薬剤格納部２０内の薬剤Ｍの格納量を検出し（Ｓ９３）、その検出結果を含む信号（検出結果信号）を携帯端末３に向けて送信する（Ｓ９４）。
【０１９４】
携帯端末３は、この検出結果信号を受信すると（Ｓ９５）、格納量判断処理部３９によって、当該信号に含まれる格納量が適正量未満であるか判断する（Ｓ９６）。
【０１９５】
薬剤Ｍの格納量が適正量以上であると判断された場合（Ｓ９７；Ｎ）、携帯端末３は、報知を行わずに処理を終了する。
【０１９６】
一方、薬剤Ｍの格納量が適正量未満であると判断された場合には（Ｓ９７；Ｙ）、携帯端末３は、報知情報を出力して、薬剤ケース２に十分な量の薬剤Ｍが格納されていないことをユーザ等に報知する（Ｓ９８）。それにより、ユーザは、十分な量の薬剤Ｍを薬剤ケース２に格納してから外出等することができる。
【０１９７】
［変形例］
まず、格納量検出部２６の変形例を説明する。薬剤格納部２０として、一つ又は複数の仕切り板で区切られた各区域に一つずつ薬剤を格納する構成のものを使用する場合、各区域の仕切り板にタッチセンサを設けて、当該区域に薬剤Ｍが格納されているかを検出することにより、薬剤Ｍの格納個数を取得することができる。
【０１９８】
また、薬剤Ｍをたとえば一列に配列して格納するシリンダ部と、バネ等の付勢手段により付勢されたピストン部とを有する構成（あたかもステープラ（ｓｔａｐｌｅｒ）のような構成）の薬剤格納部２０を用いる場合においては、ポテンショメータによってシリンダ部の位置を検出することにより、薬剤Ｍの格納個数（格納量）を取得することができる。
【０１９９】
上記構成においては、携帯端末３に格納量判断手段を設けているが、薬剤ケース２に設けるようにしてもよい。また、報知情報の出力は、携帯端末３及び薬剤ケース２の少なくとも一方が行えばよい。
【０２００】
本実施形態の構成を、第１〜第３の実施形態及びその変形例に係る物品管理システムに適宜に応用することが可能である。その場合、格納量検出要求信号の送信処理、検出結果信号の受信処理、格納量の判断処理及び報知情報の出力処理を、それぞれ、リモートエンジンスタータ４、車両制御装置５０及び管理装置６のうちの任意の装置が実行するように構成することができる。
【０２０１】
また、本実施形態の物品管理システム１０００は、薬剤ケース２に格納された薬剤Ｍの格納量を管理するものであるが、任意のケースに格納された任意の物品の格納量を管理するために当該構成を適用することが可能である。
【０２０２】
［付記］
（１）物品に付設され、第１の信号を発信する通信装置と、
第２の信号を発信する携帯端末と、
該携帯端末と一体又は別体に構成され、車両に所定の動作を行わせるための操作装置と、
前記車両に設けられ、前記操作装置が操作されたときに当該車両の動作を制御する車両制御装置と、
を含み、
前記発信された前記第１及び第２の信号のそれぞれを受信するための通信手段を備え、
前記車両制御装置は、該通信手段により前記第１及び第２の信号の少なくとも一方が受信されない場合において、前記操作装置が操作されたときに、前記車両の前記所定の動作を禁止する制御手段を備える、
ことを特徴とする物品管理システム。
【０２０３】
（２）前記通信手段は、前記操作装置に設けられ、
前記操作装置は、前記通信手段により前記第１及び第２の信号の少なくとも一方が受信されないときに所定の信号を発信し、
前記車両制御手段は、前記所定の信号を受信する通信手段を備え、
前記制御手段は、該通信手段により前記所定の信号が受信された場合において、前記操作装置が操作されたときに、前記所定の動作を禁止する、
ことを特徴とする付記（１）に記載の物品管理システム。
【０２０４】
（３）前記通信手段は、前記車両制御装置に設けられ、
前記車両制御装置は、前記通信手段により前記第１及び第２の信号の少なくとも一方が受信されないときに報知情報を出力する報知手段を備える、
ことを特徴とする付記（１）に記載の物品管理システム。
【０２０５】
（４）前記携帯端末は、
前記通信装置により送信された前記第１の信号を受信する通信手段と、
該通信手段により前記第１の信号が受信されないときに報知情報を出力する報知手段と、
を備える、
ことを特徴とする付記（１）に記載の物品管理システム。
【０２０６】
（５）物品に付設され、第１の信号を発信する通信装置と、
該発信された第１の信号を受信するための通信手段を備える携帯端末と、
該携帯端末と一体又は別体に構成され、車両に所定の動作を行わせるための操作装置と、
前記車両に設けられ、前記操作装置が操作されたときに当該車両の動作を制御する車両制御装置と、
を含み、
前記携帯端末は、前記通信手段により前記第１の信号が受信されないときに所定の信号を送信し、
前記車両制御装置は、
前記所定の信号を受信するための通信手段と、
該通信手段により前記所定の信号が受信された場合において、前記操作装置が操作されたときに、前記車両の前記所定の動作を禁止する制御手段と、
を備える、
ことを特徴とする物品管理システム。
【０２０７】
（６）前記携帯端末の前記通信手段は、第２の信号を発信し、
前記車両制御装置の前記制御手段は、その通信手段により前記第２の信号が受信されない場合において、前記操作装置が操作されたときに、前記所定の動作を禁止する、
ことを特徴とする付記（５）に記載の物品管理システム。
【０２０８】
（７）前記車両制御装置は、その通信手段により前記第１の信号が受信されないときに報知情報を出力する報知手段を備える、
ことを特徴とする付記（５）に記載の物品管理システム。
【０２０９】
（８）前記車両制御装置は、その通信手段により前記第２の信号が受信されないときに報知情報を出力する報知手段を備える、
ことを特徴とする付記（６）に記載の物品管理システム。
【０２１０】
（９）前記携帯端末は、その通信手段により前記第１の信号が受信されないときに報知情報を出力する報知手段を備える、
ことを特徴とする付記（５）に記載の物品管理システム。
【０２１１】
（１０）前記操作装置は、
前記通信装置により発信された前記第１の信号を受信する通信手段と、
該通信手段により前記第１の信号が受信されないときに報知情報を出力する報知手段と、
を備える、
ことを特徴とする付記（１）又は付記（５）に記載の物品管理システム。
【０２１２】
（１１）前記操作装置は、
前記携帯端末により発信された前記第２の信号を受信する通信手段と、
該通信手段により前記第２の信号が受信されないときに報知情報を出力する報知手段と、
を備える、
ことを特徴とする付記（１）又は付記（６）に記載の物品管理システム。
【０２１３】
（１２）前記物品に付設された前記通信装置は、前記携帯端末により発信された前記第２の信号を受信するように動作し、
前記物品には、前記通信装置により前記第２の信号が受信されないときに報知情報を出力する報知手段が設けられている、
ことを特徴とする付記（１）又は付記（６）に記載の物品管理システム。
【０２１４】
（１３）ユーザに装着され、信号を発信する信号発信手段を更に含み、
前記車両制御装置は、該信号発信手段により発信された信号を前記通信手段により受信したことに対応し、前記通信装置及び／又は前記携帯端末に対して応答信号の送信を要求する信号を前記通信手段により送信するとともに、該要求する信号に対する前記通信装置及び／又は前記携帯端末からの前記応答信号が前記通信手段によって受信されないときに前記報知手段による報知情報の出力を行う、
ことを特徴とする付記（３）、付記（７）又は付記（８）に記載の物品管理システム。
【０２１５】
（１４）前記所定の動作は、前記車両の原動機を自動的に始動する動作又は前記車両のドアロックの解除動作である、
ことを特徴とする付記（１）〜付記（１３）のいずれか一項に記載の物品管理システム。
【０２１６】
（１５）物品に付設され、信号の送受信を行う通信装置と、
走行車両内のユーザによる携帯に供され、信号の送受信を行う通信手段を備える携帯端末と、
を含み、
前記車両の原動機が始動されたことに対応して計時を開始する計時手段を備え、
前記携帯端末は、該計時手段による計時時間が所定時間に達したことに対応し、前記通信装置に対して応答信号の送信を要求する信号を前記通信手段によって送信し、
該要求する信号に対する前記応答信号が前記通信手段によって受信されないときに報知情報を出力する報知手段を備える、
ことを特徴とする物品管理システム。
【０２１７】
（１６）物品に付設され、信号の送受信を行う通信装置と、
走行車両内のユーザによる携帯に供され、信号の送受信を行う通信手段を備える携帯端末と、
を含み、
車両の原動機が始動されてからの走行距離を検出する走行距離検出手段を備え、
前記携帯端末は、該走行距離検出手段による検出距離が所定距離に達したことに対応し、前記通信装置に対して応答信号の送信を要求する信号を前記通信手段によって送信し、
該要求する信号に対する前記応答信号が前記通信手段によって受信されないときに報知情報を出力する報知手段を備える、
ことを特徴とする物品管理システム。
【０２１８】
（１７）走行車両内のユーザによる携帯に供される携帯端末と、
物品と前記携帯端末との間の距離を計測する測距手段と、
該測距手段による計測距離が所定距離以上であるときに報知情報を出力する報知手段と、
を備える、
ことを特徴とする物品管理システム。
【０２１９】
（１８）前記測距手段による計測距離の段階的な閾値を記憶する記憶手段を更に備え、
前記報知手段は、前記測距手段による計測距離と前記記憶された段階的な閾値とに基づいて、前記報知情報の出力頻度及び／又は出力内容を変更する、
ことを特徴とする付記（１７）に記載の物品管理システム。
【０２２０】
（１９）前記測距手段は、断続的に前記距離を計測し、
前記報知手段は、該断続的に計測される距離のそれぞれについて、前記段階的な閾値に基づいて前記報知情報の出力頻度及び／又は出力内容を変更する、
ことを特徴とする付記（１８）に記載の物品管理システム。
【０２２１】
（２０）前記測距手段は、
前記物品に付設され、当該物品の位置を計測する第１の測位手段と、
前記携帯端末に設けられ、当該携帯端末の位置を計測する第２の測位手段と、
前記第１及び第２の測位手段のそれぞれによる計測位置に基づいて前記距離を算出する距離算出手段と、
を備える、
ことを特徴とする付記（１７）〜（１９）のいずれか一項に記載の物品管理システム。
【０２２２】
（２１）ユーザによる携帯に供される物品に付設され、信号の送受信を行う通信装置と、
前記ユーザによる携帯に供され、第１の識別情報を含む信号を発信する第１の携帯端末と、
前記ユーザ以外の者による携帯に供され、第２の識別情報を含む信号を発信する第２の携帯端末と、
所定の場所に設置され、信号の送受信を行う通信手段を備える管理装置と、
を含み、
前記管理装置は、
前記第１及び第２の識別信号をあらかじめ記憶した記憶手段と、
前記通信手段により信号が受信されたときに、当該信号が前記第１又は第２の識別情報を含んでいるか判断する判断手段と、
を備え、
前記第１の識別情報が含まれていると前記判断されたときに、前記通信装置に対して応答信号の送信を要求する信号を前記通信手段により送信し、
前記要求する信号に対する前記応答信号が前記通信手段によって受信されないときに報知情報を出力する報知手段を備える、
ことを特徴とする物品管理システム。
【０２２３】
（２２）前記報知手段は、前記管理装置に設けられている、
ことを特徴とする付記（２１）に記載の物品管理システム。
【０２２４】
（２３）前記報知手段は、前記第１及び／又は第２の携帯端末に設けられており、
前記管理装置は、前記応答信号が前記受信されないときに、所定の信号を前記通信手段によって送信し、
前記第１及び／又は携帯端末は、該送信された所定の信号を受信したことに対応し、前記報知手段により前記報知情報の出力を行う、
ことを特徴とする付記（２１）に記載の物品管理システム。
【０２２５】
（２４）ユーザに装着され、信号を発信する信号発信手段を更に含み、
前記報知手段は、前記管理装置に設けられており、
前記管理装置は、該信号発信手段により発信された信号を前記通信手段により受信したことに対応し、前記通信装置及び／又は前記第１の携帯端末に対して応答信号の送信を要求する信号を前記通信手段により送信するとともに、該要求する信号に対する前記通信装置及び／又は前記第１の携帯端末からの前記応答信号が前記通信手段によって受信されないときに前記報知手段による報知情報の出力を行う、
ことを特徴とする付記（２１）に記載の物品管理システム。
【０２２６】
（２５）薬剤を格納し、ユーザによる携帯に供される薬剤ケースと、
前記ユーザによる携帯に供される携帯端末と、
を含み、
前記薬剤ケースは、前記薬剤の格納量を検出する検出手段を備え、
該検出された前記格納量が所定量未満であるか判断する格納量判断手段と、
前記格納量が所定量未満であると前記判断されたときに報知情報を出力する報知手段と、
を備える、
ことを特徴とする物品管理システム。
【０２２７】
（２６）前記格納量判断手段及び前記報知手段は、前記携帯端末に設けられ、
前記薬剤ケースは、前記検出手段により検出された前記格納量を送信する通信手段を備え、
前記携帯端末は、該送信された前記格納量が前記所定量未満であるかを前記格納量判断手段により判断する、
ことを特徴とする付記（２５）に記載の物品管理システム。
【図面の簡単な説明】
【０２２８】
【図１】本発明に係る物品管理システムの第１の実施形態の全体構成の一例を表す概略ブロック図である。
【図２】本発明に係る物品管理システムの第１の実施形態に含まれる携帯端末の外観構成の一例を表す概略図である。
【図３】本発明に係る物品管理システムの第１の実施形態の使用形態の一例を表すフローチャートである。
【図４】本発明に係る物品管理システムの第１の実施形態の使用形態の一例を表すフローチャートである。
【図５】本発明に係る物品管理システムの第１の実施形態の使用形態の一例を表すフローチャートである。
【図６】本発明に係る物品管理システムの第２の実施形態の全体構成の一例を表す概略ブロック図である。
【図７】本発明に係る物品管理システムの第２の実施形態の使用形態の一例を表すフローチャートである。
【図８】本発明に係る物品管理システムの第２の実施形態の変形例の全体構成の一例を表す概略ブロック図である。
【図９】本発明に係る物品管理システムの第２の実施形態の変形例の全体構成の一例を表す概略ブロック図である。
【図１０】本発明に係る物品管理システムの第２の実施形態の変形例が記憶している報知情報リストの一例の概要を表す図である。
【図１１】本発明に係る物品管理システムの第２の実施形態の変形例の使用形態の一例を表すフローチャートである。
【図１２】本発明に係る物品管理システムの第２の実施形態の変形例による報知情報の出力態様の変更処理の一例を表す概要図である。
【図１３】本発明に係る物品管理システムの第３の実施形態の全体構成の一例を表す概略ブロック図である。
【図１４】本発明に係る物品管理システムの第３の実施形態の使用形態の一例を表すフローチャートである。
【図１５】本発明に係る物品管理システムの第３の実施形態の第４の変形例の全体構成の一例を表す概略ブロック図である。
【図１６】本発明に係る物品管理システムの第３の実施形態の第４の変形例が記憶している報知判断情報の一例の概要を表す図である。
【図１７】本発明に係る物品管理システムの第４の実施形態の全体構成の一例を表す概略ブロック図である。
【図１８】本発明に係る物品管理システムの第４の実施形態の使用形態の一例を表すフローチャートである。
【符号の説明】
【０２２９】
１、１０、１１、１２、１００、１００′、１０００  物品管理システム
２  薬剤ケース
Ｍ  薬剤
２０  薬剤格納部
２１  制御部
２２  音声出力部
２３  振動機構部
２４  通信部
２５  ＧＰＳ部
２６  格納量検出部
３、３Ａ、３Ｂ  携帯端末
３１、３１Ａ、３１Ｂ  制御部
３２、３２Ａ、３２Ｂ  表示部
３３、３３Ａ、３３Ｂ  音声出力部
３４、３４Ａ、３４Ｂ  振動機構部
３５、３５Ａ、３５Ｂ  操作部
３６、３６Ａ、３６Ｂ  記憶部
３６ａ  ユーザＩＤ情報
３６ｂ  ＩＤ情報
３７、３７Ａ、３７Ｂ  通信部
３８  ＧＰＳ部
３９  格納量判断処理部
４  リモートエンジンスタータ
４１  制御部
４２  表示部
４３  音声出力部
４４  振動機構部
４５  操作部
４６  記憶部
４７  通信部
５  車両
５０  車両制御装置
５１  制御部
５２  音声出力部
５３  エンジン制御部
５４  ドアロック制御部
５５  通信部
５６  エンジン
５７  ドアロック機構部
５８  計時部
５９  走行距離検出部
６０  距離算出部
６１  記憶部
６  管理装置
６２  制御部
６３  表示部
６４  音声出力部
６５  記憶部
６５ａ  報知判断情報
６６  判断処理部
６７  通信部
７  ゲートセンサ
【図１】
2007213204.tif 000003
【図２】
2007213204.tif 000004
【図３】
2007213204.tif 000005
【図４】
2007213204.tif 000006
【図５】
2007213204.tif 000007
【図６】
2007213204.tif 000008
【図７】
2007213204.tif 000009
【図８】
2007213204.tif 000010
【図９】
2007213204.tif 000011
【図１０】
2007213204.tif 000012
【図１１】
2007213204.tif 000013
【図１２】
2007213204.tif 000014
【図１３】
2007213204.tif 000015
【図１４】
2007213204.tif 000016
【図１５】
2007213204.tif 000017
【図１６】
2007213204.tif 000018
【図１７】
2007213204.tif 000019
【図１８】
2007213204.tif 000020